(57)【要約】【課題】  多種多数に亘る分析関連データの値の単位設定を、分析装置毎に系統的に、かつ容易に行えるようにすべく図ったものである。【解決手段】  内燃機関の吸気又は排気を分析する分析装置と、該分析装置と通信可能に接続された情報処理装置とを備えた分析システムにおいて、前記情報処理装置が、前記分析装置と当該情報処理装置との間で授受される複数の分析関連データの値にそれぞれ用いるべき単位を定めてなる単位系列データを、複数記憶している単位系列データ記憶部と、前記単位系列データ記憶部に記憶されている各単位系列データのいずれかの選択入力を受け付ける選択入力受付部と、前記各分析関連データの値を、前記選択された単位系列データに定められた単位で、それぞれ出力するデータ出力部とを具備するようにした。【選択図】  図５
2014095583.tif 000002
【特許請求の範囲】
【請求項１】
内燃機関の吸気又は排気を分析する分析装置と、該分析装置と通信可能に接続された情報処理装置とを備え、
前記情報処理装置が、
前記分析装置と当該情報処理装置との間で授受される複数の分析関連データの値にそれぞれ用いるべき単位を定めてなる単位系列データを、複数記憶している単位系列データ記憶部と、
前記単位系列データ記憶部に記憶されている各単位系列データのいずれかの選択入力を受け付ける選択入力受付部と、
前記各分析関連データの値を、前記選択された単位系列データに定められた単位で、それぞれ出力するデータ出力部とを具備していることを特徴とする分析システム。
【請求項２】
前記分析装置を複数具備し、前記単位系列データ記憶部が、分析装置毎に複数の単位系列データをひも付けて記憶していることを特徴とする請求項１記載の分析システム。
【請求項３】
前記情報処理装置が、前記単位系列データ記憶部の内容を編集する単位系列データ編集部をさらに具備していることを特徴とする請求項１又は２記載の分析システム。
【請求項４】
前記単位系列データが、前記各分析関連データをそれぞれ識別するための分析関連データ名と、該分析関連データ名に関連付けられた、質量、長さ、容積、温度などの物象種別を示す物象種別名、前記単位を示す単位名、及び出力桁数とを具備したものであることを特徴とする請求項１〜３いずれか記載の分析システム。
【請求項５】
前記情報処理装置が、前記物象種別名毎に使用可能な１以上の単位名を記憶している使用可能単位記憶部をさらに具備し、
前記単位系列データ編集部が単位系列データを編集するにあたって、前記使用可能単位記憶部に記憶されている単位名のうちから前記分析関連データに設定された物象種別に使用可能な単位名を選択することを特徴とする請求項４記載の分析システム。
【請求項６】
前記情報処理装置が、前記使用可能単位記憶部を編集する単位編集部をさらに具備していることを特徴とする請求項５記載の分析システム。
【請求項７】
前記情報処理装置が、管理上、複数の分析装置をまとめて１つの分析装置とみなす分析装置管理部をさらに具備していることを特徴とする請求項１〜６記載の分析システム。
【請求項８】
内燃機関の吸気又は排気を分析する分析装置と通信可能に接続された分析システム用の情報処理装置であって、
前記分析装置と当該情報処理装置との間で授受される複数の分析関連データの値にそれぞれ用いるべき単位を定めてなる単位系列データを、複数記憶している単位系列データ記憶部と、
前記単位系列データ記憶部に記憶されている各単位系列データのいずれかの選択入力を受け付ける選択入力受付部と、
前記各分析関連データの値を前記選択された単位系列データに定められた単位でそれぞれ出力するデータ出力部とを具備していることを特徴とする情報処理装置。
【請求項９】
内燃機関の吸気又は排気を分析する分析装置と通信可能に接続された分析システム用の情報処理装置に搭載されるプログラムであって、
前記分析装置と当該情報処理装置との間で授受される複数の分析関連データの値にそれぞれ用いるべき単位を定めてなる単位系列データを、複数記憶している単位系列データ記憶部と、
前記単位系列データ記憶部に記憶されている各単位系列データのいずれかの選択入力を受け付ける選択入力受付部と、
前記各分析関連データの値を前記選択された単位系列データに定められた単位でそれぞれ出力するデータ出力部としての機能を該情報処理装置に発揮させるプログラム。
【発明の詳細な説明】
【技術分野】
【０００１】
本発明は、内燃機関の吸気又は排気を分析するための分析システム、それに用いられる情報処理装置及びプログラムに関する。
【背景技術】
【０００２】
この種の内燃機関用分析システムは、１以上の分析装置とこれら分析装置を管理するための情報処理装置とから構成されている。そして、分析装置と情報処理装置との間で、測定データや設定データなどの多数の分析関連データが授受される。
【０００３】
これら分析関連データに用いられる単位系は、ユーザによって異なり、例えば、国や地域の規格に合わせた単位系を用いる場合もあれば、独自の単位系を用いる場合もある。
【０００４】
そのため、従来、例えば、分析システムで用いられる分析関連データの単位系を、出荷先ユーザで使用されている単位系に予め設定する作業が行われる。また、例えば、この分析システムを用いて様々な国の認証試験を行う場合には、ユーザ側で、国の異なる認証試験毎に分析関連データの単位系を変更することもある。
【０００５】
しかしながら、１つの分析装置に係る分析関連データですら多数にのぼることがあるうえに、１つのラボで多種類の分析装置を用いることもあり、このような場合には、前述した単位系の設定に大きな手間がかかるという不具合がある。
【先行技術文献】
【特許文献】
【０００６】
【特許文献１】特開平０９−１３３６１０号公報
【発明の概要】
【発明が解決しようとする課題】
【０００７】
本発明はこのような課題に鑑みてなされたものであって、多種多数に亘る分析関連データの値の単位設定を、分析装置毎に系統的に、かつ容易に行えるようにすべく図ったものである。
【課題を解決するための手段】
【０００８】
すなわち、本発明に係る分析システムは、内燃機関の吸気又は排気を分析する分析装置と、該分析装置と通信可能に接続された情報処理装置とを備えたものである。
【０００９】
そして、前記情報処理装置が、前記分析装置と当該情報処理装置との間で授受される複数の分析関連データの値にそれぞれ用いるべき単位を定めてなる単位系列データを、複数記憶している単位系列データ記憶部と、前記単位系列データ記憶部に記憶されている各単位系列データのいずれかの選択入力を受け付ける選択入力受付部と、前記各分析関連データの値を、前記選択された単位系列データに定められた単位で、それぞれ出力するデータ出力部とを具備していることを特徴とする。
【００１０】
このようなものであれば、ある１つの分析装置で用いられる一連の分析関連データの値の各単位を、当該分析装置に関連づけられたいずれかの単位系列データを選択するだけで、一括して設定したり、変更したりできるので、単位設定の手間を大幅に軽減することができる。
また、単位の一括設定や一括変更を分析装置毎に行うようにしてあるので、使いやすく、設定ミスなども可及的に防止できる。
【００１１】
本発明の効果がさらに顕著となる実施態様としては、前記分析装置を複数具備し、前記単位系列データ記憶部が、分析装置毎に複数の単位系列データをひも付けて分類して記憶しているものを挙げることができる。
【００１２】
設定の自由度を上げるためには、前記情報処理装置が、前記単位系列データ記憶部の内容を編集する単位系列データ編集部をさらに具備していることが望ましい。
【００１３】
具体的な実施形態としては、前記単位系列データが、前記各分析関連データをそれぞれ識別するための分析関連データ名と、該分析関連データ名に関連付けられた、質量、長さ、容積、温度などの物象種別を示す物象種別名、前記単位を示す単位名、及び出力桁数とを具備したものを挙げることができる。
【００１４】
単位系列データの編集を容易化するためには、前記情報処理装置が、前記物象種別名毎に使用可能な１以上の単位名を記憶している使用可能単位記憶部をさらに具備し、前記単位系列データ編集部が単位系列データを編集するにあたって、前記使用可能単位記憶部に記憶されている単位名のうちから前記分析関連データに設定された物象種別に使用可能な単位名を選択することが望ましい。
【００１５】
単位の設定自由度を上げるためには、前記情報処理装置が、前記使用可能単位記憶部を編集する単位編集部をさらに具備していることが望ましい。
【００１６】
系統だった分析装置の管理を可能とするには、前記情報処理装置が、管理上、複数の分析装置をまとめて１つの分析装置とみなす分析装置管理部をさらに具備していることが望ましい。
【発明の効果】
【００１７】
このように構成した本発明によれば、ある１つの分析装置で用いられる一連の分析関連データの値の各単位を、当該分析装置に関連づけられたいずれかの単位系列データを選択するだけで、一括して設定したり、変更したりできるので、単位設定の手間を大幅に軽減することができる。
【図面の簡単な説明】
【００１８】
【図１】本発明の一実施形態における分析システムの全体構成図。
【図２】同実施形態における単位系列データ記憶部の内容を示すデータ構成図。
【図３】同実施形態における単位系列データの内容を示すデータ構成図。
【図４】同実施形態における使用可能単位記憶部の内容を示すデータ構成図。
【図５】同実施形態における編集画面の一例を示す画面構成図。
【図６】同実施形態における編集画面の一例を示す画面構成図。
【図７】同実施形態における編集画面の一例を示す画面構成図。
【発明を実施するための形態】
【００１９】
以下、本発明の一実施形態につき、図面を参照して説明する。
【００２０】
本実施形態に係る分析システム１は、図１に示すように、車両内燃機関の排ガスをサンプリングして分析成分濃度や燃費等を算出するものであって、複数の排ガス分析装置２と、それら分析装置２による測定データを受信したり分析装置２に対する設定データを送信したりしてこれらを統括管理する情報処理装置３とを具備している。なお、以下、各分析装置２と情報処理装置３との間で授受される前記測定データや前記設定データ等を分析関連データと言う。
【００２１】
分析装置２は、例えばＣＶＳ装置やＥＧＲ測定装置、あるいは内部に複数の排ガス分析ユニットを有した排ガス総合分析装置などであり、それぞれ複数の測定データを出力する。なお、複数の分析装置を、情報処理装置３による管理の便宜上、１つの分析装置として認識するようにしてもよいし、その逆でも構わない。また、分析装置を階層構造化した管理体系としてもよい。階層構造化した場合は、上位階層の分析装置に対する後述の種々の設定等は、下位階層の分析装置にまで共通に及ばせることができ、一方、下位階層に属する一部の分析装置のみに後述の設定等を有効にすることもできる。
【００２２】
情報処理装置３は、例えば、図示しないＣＰＵ、メモリ、Ａ／Ｄコンバータ、Ｄ／Ａコンバータ、通信インタフェース、入力手段（マウスやキーボード）、ディスプレイなどから構成されたものであって、前記メモリに記憶された所定のプラグラムに従って、ＣＰＵ及びその周辺機器が協働することにより、後述する単位系列データ記憶部３１、選択入力受付部３２、データ出力部３３、単位系列データ編集部３４、使用可能単位記憶部３５、単位編集部３６、分析装置管理部３７等としての機能を担う。
【００２３】
次に、前記各部の詳細な説明も兼ねて、上述した本分析システム１の構成について説明する。
【００２４】
上述した分析関連データは、分析装置管理部３７を介してデータ出力部３３で受け付けられ、例えばディスプレイに表示出力されたり、ファイル出力されたりするが、この実施形態では、出力される分析関連データの値の単位を、オペレータが入力手段を利用して設定することができる。
【００２５】
次に、単位の設定について具体的に説明する。
【００２６】
まず選択入力受付部３２が、単位系列データ記憶部３１を参照して、ディスプレイ上に図５に示す単位設定ウィンドウ４を表示する。
【００２７】
詳述すれば、単位系列データ記憶部３１には、図２に示すように、分析装置２毎に複数の単位系列データがひも付けられて記憶されている。この単位系列データは、図３に示すように、当該単位系列データを識別するための単位系列名に加え、実態的内容として分析関連データを識別するための分析関連データ名（図５ではＤａｔａ  Ｃａｔｅｇｏｒｙとして表記されている）と、各分析関連データ名にそれぞれ関連付けられた、質量、長さ、容積、温度などの物象種別を示す物象種別名（図５では、Ｕｎｉｔ  Ｆａｍｉｌｙとして表記されている）、前記単位を示す単位名（図５では、Ｕｎｉｔとして表記されている）、及び出力桁数（図５では、Ｓｉｇ．Ｄｉｇｉｔとして表記されている）とを具備したものである。
【００２８】
しかして、前記単位設定ウィンドウ４には、分析装置名を切替可能に表示する分析装置名表示欄４１、選択されている分析装置２に用いることができる単位系列名を選択可能に一覧表示する単位系列名表示欄４２、及び選択されている単位系列データの内容を一覧表示する単位系列データ内容表示欄４３等が設けられている。選択入力受付部３２は、上述した単位系列データ記憶部３１に記憶されている分析装置名を分析装置名表示欄４１に、単位系列名を単位系列名表示欄４２に、分析関連データ名、物象種別名、単位名、及び出力桁数を単位系列データ内容表示欄４３に表示する。
【００２９】
このように表示された単位設定ウィンドウ４では、分析装置名表示欄４１に表示されている分析装置２について、単位系列名表示欄４２でアクティブになっている単位系列データが選択されていることが示される。この図５では、ＣＶＳという名称の分析装置に対して、Ｍｅｔｒｉｃと言う単位系列名の単位系列データが選択されている。
【００３０】
この状態で、オペレータが、例えばマウスを用いて単位系列名表示欄４２に表示されている別の単位系列名を選択すると、その単位系列データの内容が単位系列データ内容表示欄４３に一覧表示される。そして、図示しないが、オペレータによる確定操作がなされると、選択入力受付部３２は、選択されている単位系列データを受け付ける。
【００３１】
その後は、データ出力部３３が、前記分析関連データの値を、前記選択された単位系列データに定められた各単位で、例えばそれぞれディスプレイに表示する（図示しない）。
【００３２】
また、この実施形態では、前記単位系列データ記憶部３１の内容を編集することができる。そのためには、オペレータが単位設定ウィンドウ４のＥＤＩＴボタンをクリックするなどの適宜操作をする。そうすると、図６に示す単位系列データ編集ウィンドウ５が表示され、分析装置２毎に関連付けられている各単位系列データの内容、すなわち、分析関連データ名、物象種別名、単位名、出力桁数を変更できるようにしてある。そして、この操作でオペレータに選択された内容を単位系列データ編集部３４が読み込み、単位系列データ記憶部３１の内容を更新する。さらに、図６では、単位名と出力桁数とを、予め登録されたリストの中から選択できるようにしてある。
【００３３】
その他に、図５に示すＡＤＤボタンをクリックすることで、単位系列データを増やしたり、同図に示すＤＥＬＥＴＥボタンをクリックすることで、単位系列データを削除したりすることもできる。
【００３４】
加えて、この使用可能単位記憶部３５の内容も、オペレータは編集できる。その場合は、オペレータによる適宜の操作で図７に示す使用可能単位編集ウィンドウ６が表示される。この使用可能単位編集ウィンドウ６には、物象種別名リスト欄６１が設けてあり、そのリスト欄６１において一の物象種別名を選択すると、選択された物象種別に用いることのできる単位名が使用可能単位欄６２にリスト表示される。そのリストのうち、チェックボックスにチェックを入れた単位名が使用可能なものであり、チェックをはずせば、その単位名を使用不能にできる。単位のスケールも編集可能である。この操作を単位編集部３６が読み込んで、前記使用可能単位記憶部３５を編集する。
【００３５】
しかしてこのようなものであれば、ある１つの分析装置で用いられる一連の分析関連データの値の各単位を、当該分析装置に関連づけられたいずれかの単位系列データを選択するだけで、一括して設定したり、変更したりできるので、単位設定の手間を大幅に軽減することができる。
【００３６】
また、単位系列データ編集部３４及び単位編集部３６によって、オペレータの必要に応じた単位を随時追加、変更、又は削除することができるため、柔軟な運用が可能となる。
【００３７】
なお、本発明は前記実施形態に限られず、例えば、それぞれのウィンドウの構成など、その趣旨を逸脱しない範囲で種々の変形が可能である。
【符号の説明】
【００３８】
１・・・分析システム
２・・・分析装置
３・・・情報処理装置
３１・・・単位系列データ記憶部
３２・・・選択入力受付部
３３・・・データ出力部
３４・・・単位系列データ編集部
３５・・・使用可能単位記憶部
３６・・・単位編集部
３７・・・分析装置管理部
【図１】
2014095583.tif 000003
【図２】
2014095583.tif 000004
【図３】
2014095583.tif 000005
【図４】
2014095583.tif 000006
【図５】
2014095583.tif 000007
【図６】
2014095583.tif 000008
【図７】
2014095583.tif 000009